(57)【要約】      （修正有）【課題】中間部材により強度的に弱い第２の部材を補強することができる携帯型電子機器用保護ケースを提供する。【解決手段】携帯型電子機器用保護ケースＣは、携帯型電子機器に用いられる携帯型電子機器用保護ケースＣであって、前記携帯型電子機器を収納する凹所を有する第１の部材１と、この第１の部材１の開口部を開閉する第２の部材２と、この第２の部材２又は第１の部材１の裏面側に取り付けられ、第１の部材１より柔らかい素材で形成された中間部材３と、第１の部材１と第２の部材２とを接続する接続部材と、第２の部材２を第１の部材１に対して開閉自在とする連結開閉手段５とを備え、第１の部材１の硬度は、第２の部材２の硬度より柔らかいものである。【選択図】図５
0003205360.tif 000002
【実用新案登録請求の範囲】
【請求項１】
携帯型電子機器に用いられる携帯型電子機器用保護ケースであって、
前記携帯型電子機器を収納する凹所を有する第１の部材と、
この第１の部材の開口部を開閉する第２の部材と、
この第２の部材又は前記第１の部材の裏面側に取り付けられ、前記第１の部材より柔らかい素材で形成された中間部材と、
前記第１の部材と前記第２の部材とを接続する接続部材と、
前記第２の部材を前記第１の部材に対して開閉自在とする連結開閉手段とを備え、
前記第１の部材の硬度は、前記第２の部材の硬度より柔らかい
ことを特徴とする携帯型電子機器用保護ケース。
【請求項２】
第２の部材の裏面側に設けられた第１の収納部と、
中間部材の前記第２の部材の対向する側に設けられた第２の収納部とを備えている
ことを特徴とする請求項１記載の携帯型電子機器用保護ケース。
【請求項３】
連結開閉手段の開にあっては、接続部材を介して、第１の部材と第２の部材とが相対的に離間可能であり、
携帯型電子機器は、操作部を有する本体と、この本体を覆う回動自在な蓋部を有し、
前記本体の底部を前記第１の部材の上に、前記蓋部を中間部材に面すると共に、前記蓋部の回動部を前記接続部材に対向するように位置させて、前記携帯型電子機器を前記第１の部材の凹所に収納する
ことを特徴とする請求項１又は請求項２記載の携帯型電子機器用保護ケース。
【考案の詳細な説明】
【技術分野】
【０００１】
本考案は、携帯型電子機器用保護ケースに係り、特に、強度的に弱い第２の部材を補強することができる携帯型電子機器用保護ケースに関する。
【背景技術】
【０００２】
携帯型電子機器に用いられる携帯型電子機器用保護ケースがある。この携帯型電子機器用保護ケースにあっては、携帯型電子機器を収納する凹所を有する第１の部材と、この第１の部材の開口部を開閉する第２の部材とを有し、第１の部材と第２の部材が共に、柔らかい素材で形成されているものがある。
【考案の概要】
【考案が解決しようとする課題】
【０００３】
しかしながら、上記携帯型電子機器用保護ケースにあっては、感触が良いものの、強度的に弱いという問題点があった。
【０００４】
本考案は、上記の問題点を考慮してなされた携帯型電子機器用保護ケースを提供することを目的とする。
【課題を解決するための手段】
【０００５】
請求項１記載の携帯型電子機器用保護ケースは、携帯型電子機器に用いられる携帯型電子機器用保護ケースであって、前記携帯型電子機器を収納する凹所を有する第１の部材と、この第１の部材の開口部を開閉する第２の部材と、この第２の部材又は前記第１の部材の裏面側に取り付けられ、前記第１の部材より柔らかい素材で形成された中間部材と、前記第１の部材と前記第２の部材とを接続する接続部材と、前記第２の部材を前記第１の部材に対して開閉自在とする連結開閉手段とを備え、前記第１の部材の硬度は、前記第２の部材の硬度より柔らかいものである。
【０００６】
また、請求項２記載の携帯型電子機器用保護ケースは、請求項１記載の携帯型電子機器用保護ケースにおいて、第２の部材の裏面側に設けられた第１の収納部と、中間部材の前記第２の部材の対向する側に設けられた第２の収納部とを備えているものである。
【０００７】
また、請求項３記載の携帯型電子機器用保護ケースは、請求項１又は請求項２記載の携帯型電子機器用保護ケースにおいて、連結開閉手段の開にあっては、接続部材を介して、第１の部材と第２の部材とが相対的に離間可能であり、携帯型電子機器は、操作部を有する本体と、この本体を覆う回動自在な蓋部を有し、前記本体の底部を前記第１の部材の上に、前記蓋部を中間部材に面すると共に、前記蓋部の回動部を前記接続部材に対向するように位置させて、前記携帯型電子機器を前記第１の部材の凹所に収納するものである。
【考案の効果】
【０００８】
請求項１記載の携帯型電子機器用保護ケースによれば、携帯型電子機器に用いられる携帯型電子機器用保護ケースであって、前記携帯型電子機器を収納する凹所を有する第１の部材と、この第１の部材の開口部を開閉する第２の部材と、前記第１の部材と前記第２の部材とを接続する接続部材とを備え、前記第１の部材の硬度は、前記第２の部材の硬度より柔らかいため、一方の面、つまり、第１の部材が硬く、他方の面、つまり、第２の部材が柔らかいため、素材の異なった感触を味わえると共に、第１の部材より柔らかい素材で形成された中間部材により強度的に弱い第２の部材を補強することができる。
【０００９】
また、請求項２記載の携帯型電子機器用保護ケースによれば、上述した請求項１記載の考案の効果に加え、第１の収納部のみならず第２の収納部と収納部を複数設けて、例えば、ゲーム機用メモリーカード、イヤホン等の小物を数多く収納することができる。
【００１０】
また、請求項３記載の携帯型電子機器用保護ケースによれば、上述した請求項１又は請求項２記載の考案の効果に加え、連結開閉手段の開にあっては、接続部材を介して、第１の部材と第２の部材とが相対的に離間可能であり、携帯型電子機器は、操作部を有する本体と、この本体を覆う回動自在な蓋部を有し、前記本体の底部を前記第１の部材の上に、前記蓋部を中間部材に面すると共に、前記蓋部の回動部を前記接続部材に対向するように位置させて、前記携帯型電子機器を前記第１の部材の凹所に収納するため、素材の硬さによって第１の部材と第２の部材を認識できるから、携帯型電子機器用保護ケースを開いた状態で携帯型電子機器の開閉方向と携帯型電子機器用保護ケースの開閉方向は一致しており、第１の部材を下にした状態で使用すれば、携帯型電子機器を開いて、そのまま使用でき、使用勝手の良好な携帯型電子機器用保護ケースを得ることができる。
【図面の簡単な説明】
【００１１】
【図１】図１は、本考案の一実施例の第１の部材を下、第２の部材を上にした状態の携帯型電子機器用保護ケースの写真である。
【図２】図２は、図１の携帯型電子機器用保護ケースの第１の部材を上、第２の部材を下にした状態の携帯型電子機器用保護ケースの写真である。
【図３】図３は、図１の携帯型電子機器用保護ケースを開いた状態の写真である。
【図４】図４は、図３の状態を反転した状態の写真である。
【図５】図５は、図３の第１の部材、中間部材、第２の部材の位置を示す写真である。
【図６】図６は、図３の中間部材を第１の部材の側へ回動させた状態の写真である。
【図７】図７は、図１の携帯型電子機器用保護ケースに収納される携帯型電子機器の概略的図である。
【考案を実施するための形態】
【００１２】
本考案の一実施例の携帯型電子機器用保護ケースを写真を参照して説明する（図１乃至図７参照）。
【００１３】
図１に示すＣは携帯型電子機器Ｇ（図７参照）に用いられる携帯型電子機器用保護ケースで、携帯型電子機器用保護ケースＣは，携帯型電子機器Ｇを収納する凹所を有する第１の部材１（図３参照）と、この第１の部材１の開口部を開閉する第２の部材２（図３及び図６参照）とを備えている。
なお、携帯型電子機器は、例えば、図７に示す携帯型ゲーム機Ｇである。第１の部材１の硬度は、第２の部材の硬度より柔らかいもので、第１の部材１は、例えば、硬質の発泡材で形成され、第２の部材２は、例えば、ネオプレンゴムのような柔らかい弾性部材で形成されている。
【００１４】
図３、図５及び図６に示す３は第１の部材１より柔らかい素材で形成された中間部材で、中間部材３は第２の部材２の裏面側に取り付けられている。
なお、本実施例では、中間部材３は第２の部材２の裏面側に取り付けられているが、場合により、中間部材３は、第１の部材１の裏面側に取り付けられるようにしても良い。
また、 図３及び図４に示す４は第１の部材１と第２の部材２とを接続する接続部材である。
また、 図３、図４、図５及び図６に示す５は第２の部材２を第１の部材１に対して開閉自在とする連結開閉手段で、連結開閉手段５は、例えば、開閉自在なファスナーで形成されている。
【００１５】
従って、上述した携帯型電子機器用保護ケースＣによれば、携帯型電子機器Ｇに用いられる携帯型電子機器用保護ケースＣであって、携帯型電子機器Ｇを収納する凹所を有する第１の部材１と、この第１の部材１の開口部を開閉する第２の部材２と、第１の部材１と第２の部材２とを接続する接続部材４とを備え、第１の部材１の硬度は、第２の部材２の硬度より柔らかいため、一方の面、つまり、第１の部材１が硬く、他方の面、つまり、第２の部材２が柔らかいため、素材の異なった感触を味わえると共に、第１の部材１より柔らかい素材で形成された中間部材３により強度的に弱い第２の部材２を補強することができる。
【００１６】
また、 図６に示す２１は第２の部材２の裏面側に設けられた第１の収納部で、第１の収納部２１には、例えば、ゲーム機用メモリーカード、イヤホン等の小物を収納できるようになっている。
また、 図６に示す３１は中間部材３の第２の部材２の対向する側に設けられた第２の収納部で、第２の収納部３１には、例えば、複数のゲーム機用メモリーカード等の小物を収納できるようになっている。
このように、携帯型電子機器用保護ケースＣにあっては、第１の収納部２１のみならず第２の収納部３１と収納部を複数設けて、例えば、ゲーム機用メモリーカード、イヤホン等の小物を数多く収納することができるようになっている。
【００１７】
また、図３に示す連結開閉手段５の開にあっては、接続部材３を介して、第１の部材１と第２の部材２とが相対的に離間可能であり、また、図７に示す携帯型電子機器Ｇは、操作部を有する本体Ｇ１と、この本体Ｇ１を覆う回動自在な蓋部Ｇ２を有する。
そして、本体Ｇ１の底部を第１の部材１の上に、蓋部Ｇ２を中間部材３に面すると共に、蓋部Ｇ２の回動部Ｇ３を接続部材４に対向するように位置させて、携帯型電子機器Ｇを第１の部材１の凹所に収納するようにすれば、素材の硬さによって第１の部材１と第２の部材２を認識できるから、携帯型電子機器用保護ケースＣを開いた状態で携帯型電子機器Ｇの開閉方向と携帯型電子機器用保護ケースＣの開閉方向は一致しており、第１の部材１を下にした状態で使用すれば、携帯型電子機器Ｇを開いて、そのまま使用でき、使用勝手の良好な携帯型電子機器用保護ケースＣを得ることができる。
【符号の説明】
【００１８】
Ｃ      携帯型電子機器用保護ケース
１      第１の部材
２      第２の部材
３      中間部材
４      接続部材
５      連結開閉手段
【図７】
0003205360.tif 000003
【図１】
0003205360.tif 000004
【図２】
0003205360.tif 000005
【図３】
0003205360.tif 000006
【図４】
0003205360.tif 000007
【図５】
0003205360.tif 000008
【図６】
0003205360.tif 000009